【手続補正書】
【提出日】平成22年12月6日(2010.12.6)
【手続補正１】
【補正対象書類名】特許請求の範囲
【補正対象項目名】全文
【補正方法】変更
【補正の内容】
【特許請求の範囲】
【請求項１】
紙文書をスキャンすることの可能な画像処理装置であって、
前記紙文書のスキャンを制限すべく、ユーザによって設定される制限情報を記憶する記憶手段と、
前記紙文書をスキャンすることにより得られるスキャン画像を取得するスキャン画像取得手段と、
前記スキャン画像取得手段で取得されたスキャン画像に基づいて、前記スキャン画像のサムネイル画像を作成するサムネイル画像作成手段と、
前記スキャン画像取得手段で取得されたスキャン画像に、前記記憶手段に記憶された制限情報が含まれているか否かを判定する判定手段と、
前記判定手段で前記スキャン画像に前記制限情報が含まれていると判定された場合、前記スキャン画像をユーザに視認させないように変更すると共に、ユーザが前記スキャン画像に前記制限情報が含まれていたことを識別できるように、前記スキャン画像に対応する前記サムネイル画像を変更し、前記判定手段で前記スキャン画像に前記制限情報が含まれていないと判定された場合、前記スキャン画像及び前記サムネイル画像を変更しない変更手段と、
を備えることを特徴とする画像処理装置。
【請求項２】
前記変更手段は、前記判定手段で前記スキャン画像に前記制限情報が含まれていると判定された場合、前記スキャン画像取得手段で取得された画像を指定画像と置き換えることによって前記スキャン画像を変更することを特徴とする請求項１に記載の画像処理装置。
【請求項３】
前記変更手段は、前記判定手段で前記スキャン画像に前記制限情報が含まれていると判定された場合、前記スキャン画像に前記制限情報を埋め込んだ制限情報埋込画像を作成し、前記スキャン画像を前記制限情報埋込画像と置き換えることによって前記スキャン画像を変更することを特徴とする請求項１または２に記載の画像処理装置。
【請求項４】
前記変更手段は、前記判定手段で前記スキャン画像に前記制限情報が含まれていると判定された場合、前記スキャン画像にパスワードを設定したパスワード設定画像を作成し、前記スキャン画像を前記パスワード設定画像と置き換えることによって前記スキャン画像を変更することを特徴とする請求項１乃至３の何れか１項に記載の画像処理装置。
【請求項５】
前記変更手段は、前記判定手段で前記スキャン画像に前記制限情報が含まれていると判定された場合、前記スキャン画像に対応するサムネイル画像を指定画像と置き換えることによって前記サムネイル画像を変更することを特徴とする請求項１乃至４の何れか１項に記載の画像処理装置。
【請求項６】
前記変更手段は、前記判定手段で前記スキャン画像に前記制限情報が含まれていると判定された場合、前記スキャン画像に対応するサムネイル画像に前記制限情報を埋め込んだ制限情報埋込縮小画像を作成し、前記サムネイル画像を前記制限情報埋込縮小画像と置き換えることによって前記サムネイル画像を変更することを特徴とする請求項１乃至５の何れか１項に記載の画像処理装置。
【請求項７】
前記判定手段で前記スキャン画像に制限情報が含まれていると判定された場合、前記スキャン画像及び前記サムネイル画像を記憶する管理装置に、前記変更手段で変更された前記スキャン画像及び前記スキャン画像に対応する前記サムネイル画像を送信し、前記判定手段で前記スキャン画像に制限情報が含まれていないと判定された場合、前記スキャン画像取得手段で取得されたスキャン画像と、前記サムネイル画像作成手段で作成されたサムネイル画像と、を前記管理装置に送信することを特徴とする請求項１乃至６の何れか１項に記載の画像処理装置。
【請求項８】
ユーザ情報の入力を受け付けるユーザ情報入力受付手段と、
前記ユーザ情報入力受付手段で入力を受け付けたユーザ情報に応じて、ユーザ権限情報を取得するユーザ権限情報取得手段と、
を更に有し、
前記変更手段は、前記ユーザ権限情報取得手段で取得されたユーザ権限情報に応じて、前記スキャン画像及び前記サムネイル画像の変更方法を変えることを特徴とする請求項１乃至７の何れか１項に記載の画像処理装置。
【請求項９】
表示モードに応じて、前記サムネイル画像に係る表示を切り替える表示制御手段を更に有することを特徴とする請求項１乃至８の何れか１項に記載の画像処理装置。
【請求項１０】
前記表示制御手段は、表示モードとして制限モードが選択された場合は、前記判定手段で制限情報が含まれていると判定された前記スキャン画像に対応するサムネイル画像を表示し、表示モードとして通常モードが選択された場合は、前記スキャン画像取得手段で取得された前記スキャン画像に対応するサムネイル画像を表示することを特徴とする請求項９に記載の画像処理装置。
【請求項１１】
前記画像処理装置は、前記管理装置を備えることを特徴とする請求項７に記載の画像処理装置。
【請求項１２】
紙文書のスキャンを制限すべく、ユーザによって設定される制限情報を記憶する記憶手段を備え、紙文書をスキャンすることの可能な画像処理装置の制御方法であって、
前記画像処理装置のスキャン画像取得手段が、前記紙文書をスキャンすることにより得られるスキャン画像を取得するスキャン画像取得ステップと、
前記画像処理装置のサムネイル画像作成手段が、前記スキャン画像取得ステップで取得されたスキャン画像に基づいて、前記スキャン画像のサムネイル画像を作成するサムネイル画像作成ステップと、
前記画像処理装置の判定手段が、前記スキャン画像取得ステップで取得されたスキャン画像に、前記記憶手段に記憶された制限情報が含まれているか否かを判定する判定ステップと、
前記画像処理装置の変更手段が、前記判定ステップで前記スキャン画像に前記制限情報が含まれていると判定された場合、前記スキャン画像をユーザに視認させないように変更すると共に、ユーザが前記スキャン画像に前記制限情報が含まれていたことを識別できるように、前記スキャン画像に対応する前記サムネイル画像を変更し、前記判定ステップで前記スキャン画像に前記制限情報が含まれていないと判定された場合、前記スキャン画像及び前記サムネイル画像を変更しない変更ステップと、
を備えることを特徴とする画像処理装置の制御方法。
【請求項１３】
紙文書のスキャンを制限すべく、ユーザによって設定される制限情報を記憶する記憶手段を備え、紙文書をスキャンすることの可能な画像処理装置を、
前記紙文書をスキャンすることにより得られるスキャン画像を取得するスキャン画像取得手段と、
前記スキャン画像取得手段で取得されたスキャン画像に基づいて、前記スキャン画像のサムネイル画像を作成するサムネイル画像作成手段と、
前記スキャン画像取得手段で取得されたスキャン画像に、前記記憶手段に記憶された制限情報が含まれているか否かを判定する判定手段と、
前記判定手段で前記スキャン画像に前記制限情報が含まれていると判定された場合、前記スキャン画像をユーザに視認させないように変更すると共に、ユーザが前記スキャン画像に前記制限情報が含まれていたことを識別できるように、前記スキャン画像に対応する前記サムネイル画像を変更し、前記判定手段で前記スキャン画像に前記制限情報が含まれていないと判定された場合、前記スキャン画像及び前記サムネイル画像を変更しない変更手段と、
して機能させることを特徴とするプログラム。
【手続補正２】
【補正対象書類名】明細書
【補正対象項目名】発明の名称
【補正方法】変更
【補正の内容】
【発明の名称】画像処理装置、その制御方法及びプログラム
【手続補正３】
【補正対象書類名】明細書
【補正対象項目名】０００１
【補正方法】変更
【補正の内容】
【０００１】
本発明は、画像処理装置、その制御方法及びプログラムに関する。
【手続補正４】
【補正対象書類名】明細書
【補正対象項目名】００１２
【補正方法】変更
【補正の内容】
【００１２】
そこで、本発明は、紙文書をスキャンすることの可能な画像処理装置であって、前記紙文書のスキャンを制限すべく、ユーザによって設定される制限情報を記憶する記憶手段と、前記紙文書をスキャンすることにより得られるスキャン画像を取得するスキャン画像取得手段と、前記スキャン画像取得手段で取得されたスキャン画像に基づいて、前記スキャン画像のサムネイル画像を作成するサムネイル画像作成手段と、前記スキャン画像取得手段で取得されたスキャン画像に、前記記憶手段に記憶された制限情報が含まれているか否かを判定する判定手段と、前記判定手段で前記スキャン画像に前記制限情報が含まれていると判定された場合、前記スキャン画像をユーザに視認させないように変更すると共に、ユーザが前記スキャン画像に前記制限情報が含まれていたことを識別できるように、前記スキャン画像に対応する前記サムネイル画像を変更し、前記判定手段で前記スキャン画像に前記制限情報が含まれていないと判定された場合、前記スキャン画像及び前記サムネイル画像を変更しない変更手段と、を備えることを特徴とする。
【手続補正５】
【補正対象書類名】明細書
【補正対象項目名】００１４
【補正方法】変更
【補正の内容】
【００１４】
また、本発明は、その制御方法及びプログラムとしてもよい。